(57)【特許請求の範囲】
【請求項１】
非金属材料で構成された筐体と、
前記筐体の上部に設けられたアンテナと、
前記筐体の下部に設けられ、この情報入力装置の設置面による磁界強度の変動を緩和させる変動緩和部材と、
前記筐体の上部に設けられ、ＩＣチップの読み取りを行う読取面と
を有し、
前記アンテナは、前記読取面の周囲に配置され、前記読取面に載せられたＩＣチップの読み取りを行い、
前記変動緩和部材は、前記筐体の底面に配置され、鉛直上方から見た場合に、前記アンテナよりも広い投影面積を有し、
前記読取面は、透明なシート状の部材で構成されており、
前記読取面に載置された原稿を副走査方向に移動し、光学的に走査する画像読取手段と、
前記読取面に載置された原稿に付されたＩＣチップから、前記アンテナを介して無線通信により情報を取得する情報取得手段と
をさらに有し、
前記画像読取手段は、非金属部材が含まれた導光部材と、金属部材が含まれた受光素子とで構成されており、
前記画像読取手段の導光部材は、前記読取面に近接する位置に配置される
情報入力装置。
【請求項２】
前記変動緩和部材は、前記アンテナの外周よりも大きな金属部材で構成されている
請求項１に記載の情報入力装置。
【請求項３】
前記変動緩和部材は、直径１３ｍｍ以下の穴が設けられた金属シートである
請求項２に記載の情報入力装置。
【請求項４】
前記金属シートに設けられた穴は、この情報入力装置を鉛直上方から見た場合に、前記アンテナよりも外側に位置する
請求項３に記載の情報入力装置。
【請求項５】
前記変動緩和部材は、前記アンテナから１０ｍｍ以上離間している
請求項４に記載の情報入力装置。
【請求項６】
前記変動緩和部材は、前記筐体の底面と側面の一部を覆う金属部材である
請求項５に記載の情報入力装置。
【請求項７】
前記情報取得手段は、前記画像読取手段が既定の位置に存在する時に限り、前記アンテナを介して無線通信を行う
請求項６に記載の情報入力装置。
【請求項８】
前記画像読取手段及び前記情報取得手段を制御する制御手段
をさらに有し、
前記制御手段は、同一の原稿に対して、前記画像読取手段による画像読取処理と、前記情報取得手段による情報読取処理とを連続的に実行させる
請求項７に記載の情報入力装置。
【発明の詳細な説明】
【技術分野】
【０００１】
本発明は、情報入力装置に関する。
【背景技術】
【０００２】
例えば、特許文献１には、非接触式ＩＣカードの券面の画像を光学的に読み取る画像読取手段を備えたことを特徴とするＩＣカードリーダライタが開示されている。
また、特許文献２には、原稿を載置するための原稿台と、前記原稿台に載置された原稿を副走査方向に移動し光学的に走査するための原稿走査手段と、走査された原稿画像を光学的に読み取り電子データに変換する画像読取手段とを有する画像読取装置において、メモリとアンテナを含む無線通信素子と通信するための少なくとも一つの通信アンテナを前記原稿走査手段上に具備し、前記通信アンテナを介して前記無線通信素子内のメモリからの情報の読み出し及びメモリへの情報の書き込みを行う手段とを備えたことを特徴とする画像読取装置が開示されている。
【先行技術文献】
【特許文献】
【０００３】
【特許文献１】特開２００６−１３４０５４
【特許文献２】特開２００６−２０３６３０
【発明の概要】
【発明が解決しようとする課題】
【０００４】
本発明は、ＩＣ情報が安定的に読み取ることができる情報入力装置を提供することを目的とする。
【課題を解決するための手段】
【０００５】
本発明に係る情報入力装置は、非金属材料で構成された筐体と、前記筐体の上部に設けられたアンテナと、前記筐体の下部に設けられ、この情報入力装置の設置面による磁界強度の変動を緩和させる変動緩和部材とを有する。
【０００６】
好適には、前記変動緩和部材は、前記アンテナの外周よりも大きな金属部材で構成されている。
【０００７】
好適には、前記筐体の上部に設けられ、ＩＣチップの読み取りを行う読取面をさらに有し、前記アンテナは、前記読取面の周囲に配置され、前記読取面に載せられたＩＣチップの読み取りを行い、前記変動緩和部材は、前記筐体の底面に配置され、鉛直上方から見た場合に、前記アンテナよりも広い投影面積を有する。
【０００８】
好適には、前記変動緩和部材は、直径１３ｍｍ以下の穴が設けられた金属シートである。
【０００９】
好適には、前記金属シートに設けられた穴は、この情報入力装置を鉛直上方から見た場合に、前記アンテナよりも外側に位置する。
【００１０】
好適には、前記変動緩和部材は、前記アンテナから１０ｍｍ以上離間している。
【００１１】
好適には、前記変動緩和部材は、前記筐体の底面と側面の一部を覆う金属部材である。
【００１２】
好適には、前記読取面は、透明なシート状の部材で構成されており、前記読取面に載置された原稿を副走査方向に移動し、光学的に走査する画像読取手段と、前記読取面に載置された原稿に付されたＩＣチップから、前記アンテナを介して無線通信により情報を取得する情報取得手段とをさらに有する。
【００１３】
好適には、前記画像読取手段は、非金属部材が含まれた導光部材と、金属部材が含まれた受光素子とで構成されており、前記画像読取手段の導光部材は、前記読取面に近接する位置に配置され、前記画像読取手段の受光素子は、前記アンテナから１０ｍｍ以上離間した位置に配置されている。
【００１４】
好適には、前記情報取得手段は、前記画像読取手段が既定の位置に存在する時に限り、前記アンテナを介して無線通信を行う。
【００１５】
好適には、前記画像読取手段及び前記情報取得手段を制御する制御手段をさらに有し、
前記制御手段は、同一の原稿に対して、前記画像読取手段による画像読取処理と、前記情報取得手段による情報読取処理とを連続的に実行させる。
【発明の効果】
【００１６】
本発明によれば、ＩＣ情報を安定的に読み取ることができる。
【図面の簡単な説明】
【００１７】
【図１】本実施形態に係る情報入力装置１の斜視図である。
【図２】図１に示した本実施形態に係る情報入力装置１の平面図である。
【図３】図２のＡ−Ａ線矢視断面図である
【図４】ガラス２を例示する斜視図である。
【図５】アンテナ２０を例示する斜視図である。
【図６】トップカバー３０を例示する斜視図である。
【図７】シールド板金４０を例示する斜視図である。
【図８】ベースフレーム３２を例示する斜視図である。
【図９】底面板金５０を例示する斜視図である。
【図１０】本実施形態に係る情報入力装置１の変形例を例示する斜め上方からの斜視図である。
【図１１】本実施形態に係る情報入力装置１の変形例を例示する斜め下方からの斜視図である。
【発明を実施するための形態】
【００１８】
まず、本実施形態の背景と概要を説明する。
一般的な非接触型ＩＣ読取装置は、アンテナとＩＣチップ間との磁界を利用する電磁誘導方式を利用し通信している。そのため、通信時は、設置環境により磁界強度が変動しやすいほか、アンテナとＩＣチップ間やその周辺に金属部材があると、磁界の影響により周辺に存在する金属部材に渦電流が流れ、反磁界が発生する。そのため、本来必要な通信用の磁界が弱まり、通信距離が短くなるため、読取時の障害となる。
【００１９】
本実施形態の情報入力装置１は、電磁誘導方式を利用して、原稿に付されたＩＣチップから情報を取得する機能と、原稿から光学的に画像を読み取る機能とを有する。また、情報入力装置１は、縦３０ｃｍ以下、横３０ｃｍ以下、高さ３０ｃｍ以下（好ましくは５ｃｍ以下）の大きさを有するハンディタイプの装置である。本実施形態の情報入力装置１は、小型化によって、どこにでも持ち運びでき、広い設置場所を必要としない手軽さを実現する。
しかし、磁界強度は、設置環境や設置面の素材により変動するため、全ての設置場所で通信時に必要な磁界強度を保てるとは限らない。特に、本実施形態の情報入力装置１では、高さを３０ｃｍ以下に抑えているため、ＩＣチップの読取面と設置面との距離が短く、設置面による磁界変動の影響を受けやすい傾向がある。
また、本実施形態の情報入力装置１に設けられたアンテナは、Ａ６サイズ以上の領域を包含するループ形状である。ループアンテナの読取領域の中心付近の磁界強度は、その周囲の領域より弱くなる傾向がある。そのため、読取面が比較的広くなると、ループアンテナの読取領域の中心付近の磁界強度を保つことが難しくなる。一方で、徒に磁界強度を強くすると、ＩＣチップを破壊する虞がある。
そこで、本実施形態の情報入力装置１は、設置面による磁界強度の変動を抑制する変動抑制部材を有し、かつ、この変動抑制部材による磁界強度の影響を加味して、アンテナの出力強度を設定している。
【００２０】
以下、本発明の実施形態の外装構成を、図面を参照して説明する。ただし、本発明の範囲は、図示例に限定されるものではない。
図１は、本実施形態に係る情報入力装置１の斜視図である。
図２は、図１に示した本実施形態に係る情報入力装置１の平面図である。
【００２１】
図１及び図２に例示するように、情報入力装置１は、原稿を載置できるガラス２と、機械部分を収納する筐体３とで構成されている。筐体３は、載置された原稿を固定することができる原稿台カバー（不図示）を設置できる。
【００２２】
ガラス２は、四角形で透明なシート状部材である。本例のガラス２は、ガラス製であるが、透明であり、かつ、透磁性を有していれば、他の材質によって構成してもよく、例えば、透明なプラスチック板などであってもよい。
ガラス２の表面には、アンテナ２０と、アンテナ貼付領域１２と、読取面１０とが構成される。アンテナ貼付領域１２には、アンテナ２０が貼り付けられる。読取面１０は、アンテナ２０に囲まれた領域であり、原稿台として機能する。
【００２３】
アンテナ２０は、ループ形状をしており、電流を通す素材で構成されている。アンテナ２０は、原稿に付された非接触型ＩＣチップの読み取りを行うために、非接触型ＩＣチップに対応する磁界を発生し、非接触型ＩＣチップ内に起電力を起こさせ、通信を行う。本例のアンテナ２０は、ガラス２の筐体３に面する側に固定され、ガラス２の縁沿いにループ状に配置されている。
アンテナ２０の出力は、後述する底面板金５０の影響を加味して設定されている。すなわち、アンテナ２０は、底面板金５０の固定的な影響が存在しても、読取面１０のいずれにＩＣチップが配置されても、配置されたＩＣチップからＩＣ情報を読み取ることができる程度の出力強度に設定されている。
【００２４】
アンテナ貼付領域１２は、ループ状のアンテナ２０を貼り付けたガラス２上の領域である。アンテナ貼付領域１２は、載置された原稿を光学的に走査することができない領域でもある。
【００２５】
読取面１０は、アンテナ貼付領域１２に囲われた領域である。読取面１０は、載置された原稿を光学的に走査するため、筐体３の内部を見通すことができる。読取面１０は、画像を読み取るべき原稿、又は、非接触型ＩＣチップが付された媒体（以下、これも原稿という）を載置するところである。読取面１０は、少なくとも、Ａ６（１０５ｍｍ×１４８ｍｍ）サイズ又はパスポートの片面が入るサイズに設定されている。
【００２６】
図３は、図２のＡ−Ａ線矢視断面図である。
図４は、ガラス２を例示する斜視図である。
図５は、アンテナ２０を例示する斜視図である。
図６は、トップカバー３０を例示する斜視図である。
図７は、シールド板金４０を例示する斜視図である。
図８は、ベースフレーム３２を例示する斜視図である。
図９は、底面板金５０を例示する斜視図である。
図３〜図９に示すように、筐体３は、側面を構成するトップカバー３０と、底面を構成するベースフレーム３２とで構成されている。筐体３の内部には、シールド板金４０が配置され、筐体３の底面には底面板金５０が配置されている。
【００２７】
トップカバー３０は、図６に例示するように、情報入力装置１の筐体３の側面外装である。トップカバー３０の材質は、非金属材料であり、例えば、合成樹脂で形成されている。トップカバー３０は、直方体の形で、上面部及び下面部に大きな開口を有する。また、トップカバー３０は、原稿台カバーを持ち上げるための窪みがあり、その付近には情報入力装置１を起動させる電源ボタンが設置されている。
【００２８】
シールド板金４０は、図７に例示するように、情報入力装置１の内部骨格である。シールド板金４０の材質は、金属部材で、例えば、ステンレス、アルミ、銅、又は鉄で形成されている。シールド板金４０は、トップカバー３０に収まる略四角形の大きさであり、端は固定できるよう略垂直に立ち上がっている。
シールド板金４０は、アンテナ２０から１０ｍｍ以上は離間して設置され、制御装置など（不図示）から発生する電磁波をシールドする。
【００２９】
ベースフレーム３２は、図８に例示するように、情報入力装置１の筐体３の底面外装である。ベースフレーム３２の材質は、非金属部材で、例えば、合成樹脂で形成されている。ベースフレーム３２は、四角形の形状でありトップカバー３０に合致する大きさである。ベースフレーム３２は、情報入力装置１を保持するためのくびれが設けられており、副走査方向の両端にあるため安易に持ち運びができる。
【００３０】
底面板金５０は、図９に例示するように、シート状の金属部材であり、例えば、ステンレス、アルミ、銅、鉄で形成される。底面板金５０は、本発明に係る変動緩和部材の一例である。
底面板金５０は、設置する環境により情報入力装置１が影響を受けないよう機能する。
本例の底面板金５０は、アンテナ２０の外周よりも大きな面積を有する略四角形状の板である。また、本例の底面板金５０は、固定するための取付け穴と、ベースフレーム３２とある程度の距離を保つことのできる突起をそれぞれ四隅に有する。底面板金５０に設けられた取付け穴は、直径１３ｍｍ以下である。また、底面板金５０の取付け穴は、情報入力装置１を鉛直上方から見た場合、アンテナ２０よりも外側に配置されている。底面板金５０には、取付け穴の他に、穴を設けることができるが、穴の直径を１３ｍｍ以下とし、かつ、アンテナ２０よりも外側に配置されることが望ましい。また、底面板金５０は、アンテナ２０から１０ｍｍ以上は離間して設置される。
【００３１】
また、筐体３には、原稿から画像を読み取るための移動ユニット（不図示）が設けられている。移動ユニットの上部（すなわち、ガラス２に近い部分）に、非金属部材で構成された導光体が設けられており、移動ユニットの下部（すなわち、ガラス２から遠い部分）に、金属部分を含む受光素子が設けられている。受光素子は、移動ユニットの長手方向（主走査方向）に配列され、ライン状のイメージセンサを形成する。
移動ユニットは、画像読取動作の時に、ガラス２に近接する下方を副走査方向に移動し、導光体で導かれた原稿の反射光を、受光素子で読み取っていく。
また、筐体３内には、ＩＣ情報取得部と、制御装置と、電力供給部とが設けられている。ＩＣ情報取得部は、アンテナ２０を介して、ＩＣチップからＩＣ情報を読み取る。制御装置は、ＩＣ情報取得部と、移動ユニットとを制御する。電力供給部は、アンテナ２０、移動ユニット及びＩＣ情報取得部などの他の構成で電力を供給する。
【００３２】
以上説明したように、情報入力装置１は、様々な場所に設置されても、読取面１０に載置された原稿のＩＣチップから、安定的にＩＣ情報を読み取ることができる。
【００３３】
次に、上記実施形態の変形例を説明する。
上記実施形態では、底面板金５０は、略四角形でベースフレーム３２と類似する大きさと説明したが、これに限定されるものではなく、例えば、底面板金５０は、図１０及び図１１に例示するように、トップカバー３０まで覆ってもよい。ただし、底面板金５０の立ち上がっている端面は、アンテナ２０より約１０ｍｍ以上離間している。
【符号の説明】
【００３４】
１…情報入力装置
２…ガラス
３…筐体
１０…読取面
１２…アンテナ貼付領域
２０…アンテナ
３０…トップカバー
３２…ベースフレーム
４０…シールド板金
５０…底面板金
【図１】
0005861958.tif 000002
【図２】
0005861958.tif 000003
【図３】
0005861958.tif 000004
【図４】
0005861958.tif 000005
【図５】
0005861958.tif 000006
【図６】
0005861958.tif 000007
【図７】
0005861958.tif 000008
【図８】
0005861958.tif 000009
【図９】
0005861958.tif 000010
【図１０】
0005861958.tif 000011
【図１１】
0005861958.tif 000012